(57)【要約】      （修正有）【課題】電子デバイスのケーブルが垂れて物体と干渉しないよう整理できるケーブル整理装置及び該ケーブル整理装置を備えた支持機構を提供する。【解決手段】支持機構は、アームユニット３と、第１のリンク部２１と、第２のリンク部２２と、ケーブル整理装置５を備え、アームユニット３と第１のリンク部２１と第２のリンク部２２とにより４バーリンケージを構成し、アームユニット３にはその表面を貫通し、かつ、ケーブル整理装置５が嵌め込むように取り付け可能な取付け孔３３が形成されている。ケーブル整理装置５は、一対の側壁５１と、連結壁５２と、ケーブルを保持するための保持手段５４とを備え、更に、一対の側壁５１及び連結壁５２は取付け孔３３内に嵌め込まれ、保持手段５４は取付け孔３３外に露出するように取付け孔３３に嵌め込むように取り付けられている。【選択図】図５
0003223700.tif 000002
【実用新案登録請求の範囲】
【請求項１】
所定の長手方向に沿って延伸する第１のアームと、前記第１のアームと平行する第２のアームと、を有するアームユニットと、前記アームユニットの一端に、前記第１のアーム及び前記第２のアームの両方と回動可能に枢支されている第１のリンク部と、前記アームユニットの他端に、前記第１のアーム及び前記第２のアームの両方と回動可能に枢支されている第２のリンク部と、を備え、且つ、前記第１のアームと前記第２のアームと前記第１のリンク部と前記第２のリンク部とにより４バーリンケージを構成し、そして前記アームユニットの内表面から外表面まで貫通する取付け孔が形成されている支持機構の前記取付け孔に嵌め込むように取り付け可能なケーブル整理装置であって、
互いに所定の間隔をあけていて向かい合う一対の側壁と、
前記一対の側壁を繋ぐと共に、前記一対の側壁と共に一側にケーブルを収容する開口を画成する連結壁と、
一端がいずれか１つの前記側壁の端縁から前記開口外に延伸してもう１つの前記側壁側へ湾曲するように形成され、前記開口内に収容された前記ケーブルを保持するように配置されている保持手段と、を備え、
更に、該ケーブル整理装置が前記取付け孔に嵌め込むように取り付けられる際、前記一対の側壁及び前記連結壁は前記取付け孔内に嵌め込まれ、前記保持手段は前記取付け孔外に露出するように構成されていることを特徴とするケーブル整理装置。
【請求項２】
前記連結壁には、
前記一対の側壁それぞれの前記開口の反対側にある周縁同士を繋ぐ第１の板体と、
それぞれ前記一対の側壁及び前記第１の板体を繋ぐ一対の第２の板体と、を具えていることを特徴とする請求項１に記載のケーブル整理装置。
【請求項３】
前記支持機構は、前記第１のアームと前記第２のアームとの間に配置されていて、両端がそれぞれ前記第１のリンク部及び前記第２のリンク部を枢支するように取り付けられる伸縮装置を更に具え、
前記連結壁は、前記伸縮装置の伸縮具合に関わらず、常に接触せずに間をあけるように配置構成されていることを特徴とする請求項２に記載のケーブル整理装置。
【請求項４】
各前記側壁には、少なくとも１つの係合ユニットを具えており、
各前記係合ユニットには、前記側壁の厚み方向に貫通するようにＵ字形状に形成されている溝部と、前記溝部により取り囲まれ、前記開口から離れる方向に沿って延伸し、前記側壁に対して揺動することができる係合部とを具え、
各前記係合部には、前記側壁の外側へ突起する係合突起が形成されており、各前記係合突起は、前記側壁と略直交とし、前記ケーブル整理装置が前記アームユニットに形成された前記取付け孔に取り付けられる際に、前記アームユニットの前記内表面に当接する当接面と、前記当接面の端縁から前記側壁に延伸し、前記当接面と鋭角を成す案内斜面と、を具えていることを特徴とする請求項３に記載のケーブル整理装置。
【請求項５】
各前記側壁には、２つの前記係合ユニットを具えていることを特徴とする請求項４に記載のケーブル整理装置。
【請求項６】
前記開口に沿って、前記一対の側壁の端縁及び前記一対の第２の板体の端縁から外側へフランジ状に張り出し、且つ、前記ケーブル整理装置が前記アームユニットに形成された前記取付け孔に取り付けられる際に、前記取付け孔の周縁に当接する当接部を更に具えていることを特徴とする請求項５に記載のケーブル整理装置。
【請求項７】
前記連結壁の前記一対の第２の板体それぞれの前記取付け孔の周縁に臨む端部には、それぞれ互いに間隔をあけるように配置されている少なくとも２つのリブ部を具え、
また、前記ケーブル整理装置が前記アームユニットに形成された前記取付け孔に取り付けられる際に、各前記リブ部は、前記支持機構の前記取付け孔の孔縁に当接することを特徴とする請求項６に記載のケーブル整理装置。
【請求項８】
所定の長手方向に沿って延伸する第１のアーム及び前記第１のアームと平行する第２のアームを有するアームユニットと、
前記アームユニットの一端に、前記第１のアーム及び前記第２のアームの両方と回動可能に枢支されている第１のリンク部と、
前記アームユニットの他端に、前記第１のアーム及び前記第２のアームの両方と回動可能に枢支されている第２のリンク部と、
請求項１〜７のいずれか一項に記載のケーブル整理装置と、を備え、
且つ、前記第１のアームと前記第２のアームと前記第１のリンク部と前記第２のリンク部とにより４バーリンケージを構成し、そして前記アームユニットの内表面から外表面まで貫通し、かつ、前記ケーブル整理装置を嵌め込んで取り付けることが可能な取付け孔が形成され、
該ケーブル整理装置は、前記一対の側壁及び前記連結壁が前記取付け孔内に嵌め込まれ、前記保持手段が前記取付け孔外に露出するように前記取付け孔に嵌め込むように取り付けられていることを特徴とする支持機構。
【考案の詳細な説明】
【技術分野】
【０００１】
本考案はケーブル整理装置及び該ケーブル整理装置を備えた支持機構に関する。
【背景技術】
【０００２】
モニターなどの電子デバイスを支持する支持機構に関しては、従来例として特許文献１に開示されたモニター支持機構が挙げられる。図１及び図２に示されているように、当該従来のモニター支持機構１は、ケーブル２１付きのモニター２を支持するためのもので、回動自由なアーム１１及びケーブル２１の整理フック１２を備え、ケーブル２１がモニター２の下に垂れないように整理フック１２に掛けられる。
【先行技術文献】
【特許文献】
【０００３】
【特許文献１】台湾実用新案登録第Ｍ５４８６１９号明細書
【考案の概要】
【考案が解決しようとする課題】
【０００４】
しかしながら、フック１２がアーム１１の平坦な外表面に連結され、外部に露出するので、ケーブル２１が多ければ多いほど、フック１２とアーム１１の間に収容するためのスペースを広く取らなければいけなくなると共に、フック１２のアーム１１からの突出部分が大きくなる。それで、ケーブル２１が長さや重量などにより、フック１２から垂れたり、ケーブル２１のフック１２に支えられない部分が垂れたりして、近傍にある物体と干渉してしまう課題がある。
【０００５】
そこで、本考案の目的は、ケーブルが垂れて近傍にある物体と干渉せずにケーブルを整理できるケーブル整理装置が取り付けられた支持機構を提供することにある。
【課題を解決するための手段】
【０００６】
本考案のケーブル整理装置は、電子デバイスの支持機構に適用されるものであり、そして該支持機構は、所定の長手方向に沿って延伸する第１のアームと、前記第１のアームと平行する第２のアームと、を有するアームユニットと、前記アームユニットの一端に、前記第１のアーム及び前記第２のアームの両方と回動可能に枢支されている第１のリンク部と、前記アームユニットの他端に、前記第１のアーム及び前記第２のアームの両方と回動可能に枢支されている第２のリンク部と、を備え、且つ、前記第１のアームと前記第２のアームと前記第１のリンク部と前記第２のリンク部とにより４バーリンケージを構成し、そして前記アームユニット３の内表面から外表面まで貫通する取付け孔が形成されている。
【０００７】
本考案のケーブル整理装置は、前記支持機構の前記取付け孔に嵌め込むように取り付け可能であり、互いに所定の間隔をあけていて向かい合う一対の側壁と、前記一対の側壁を繋ぐと共に、前記一対の側壁と共に一側にケーブルを収容する開口を画成する連結壁と、一端がいずれか１つの前記側壁の端縁から前記開口外に延伸してもう１つの前記側壁側へ湾曲するように形成され、前記開口内に収容された前記ケーブルを保持するように配置されている保持手段と、を備える。
【０００８】
更に、該ケーブル整理装置が前記取付け孔に嵌め込むように取り付けられる際、前記一対の側壁及び前記連結壁は前記取付け孔内に嵌め込まれ、前記保持手段は前記取付け孔外に露出するように構成されている。
【０００９】
また、本考案は、所定の長手方向に沿って延伸する第１のアーム及び前記第１のアームと平行する第２のアームを有するアームユニットと、
前記アームユニットの一端に、前記第１のアーム及び前記第２のアームの両方と回動可能に枢支されている第１のリンク部と、
前記アームユニットの他端に、前記第１のアーム及び前記第２のアームの両方と回動可能に枢支されている第２のリンク部と、
上記ケーブル整理装置と、を備え、
且つ、前記第１のアームと前記第２のアームと前記第１のリンク部と前記第２のリンク部とにより４バーリンケージを構成し、そして前記アームユニットの内表面から外表面まで貫通し、かつ、前記ケーブル整理装置が嵌め込むように取り付け可能な取付け孔が形成され、
該ケーブル整理装置は、前記一対の側壁及び前記連結壁が前記取付け孔内に嵌め込まれ、前記保持手段が前記取付け孔外に露出するように前記取付け孔に嵌め込むように取り付けられていることを特徴とする支持機構をも提供する。
【考案の効果】
【００１０】
上記構成により、本考案の効果は、取付け孔が設けられた支持機構において、ケーブル整理装置を取付け孔に嵌め込むように取付けられて、ケーブルをケーブル整理装置の空間内に収容し、且つ、アームユニットに沿って延伸させるように配置することにより、ケーブルが垂れて近傍にある物体と干渉しないようにケーブルを整理できることである。
【図面の簡単な説明】
【００１１】
【図１】従来のモニター支持機構１を示す側面図である。
【図２】図１に示される従来のモニター支持機構１を示す部分拡大側面図である。
【図３】本考案の支持機構の一実施例に取り付けられるケーブル整理装置５を示す側面図である。
【図４】本考案の支持機構の一実施例に取り付けられるケーブル整理装置５を示す斜視図である。
【図５】本考案の支持機構の一実施例を示す斜視分解図である。
【図６】本考案の支持機構の一実施例に取り付けられるケーブル整理装置５を示す部分断面図である。
【図７】図６の本考案の支持機構の一実施例において、線ＶＩＩ−ＶＩＩに沿った断面図である。
【図８】本考案の支持機構の一実施例において、第２の伸縮リンク部４２が第１の位置にある場合を示す断面図である。
【図９】本考案の支持機構の一実施例において、第２の伸縮リンク部４２が第２の位置にある場合を示す断面図である。
【図１０】図８における本考案の支持機構の一実施例において、複数のケーブル６１をケーブル整理装置５に収容する断面図である。
【考案を実施するための形態】
【００１２】
以下、各図面を参照して本考案のケーブル整理装置５を備えた支持機構３の例示的な実施形態について詳しく説明する。
【００１３】
まず、図３〜図６を参照して、本考案の支持機構３は、複数のケーブル６１を有する電子デバイス６を支持するためのもので、第１のリンク部２１と、第２のリンク部２２と、アームユニット３と、伸縮装置４とを備える。第１のリンク部２１と第２のリンク部２２とは間隔を空けて配置され、支持ホルダー２３は第２のリンク部２２に連結され、電子デバイス６を支持するように設けられる。
【００１４】
アームユニット３は、所定の長手方向に沿って延伸する第１のアーム３５と、第１のアーム３５と平行する第２のアーム３６とを有し、両端の第１のリンク部２１及び第２のリンク部２２に回動可能に枢支されている。第１のアーム３５と第２のアーム３６と第１のリンク部２１と第２のリンク部２２とにより４バーリンケージを構成する。アームユニット３は、アームユニット３の内表面３１により画成される連通路３０を更に備え、図示の例では第１のアーム３５には、第１のアーム３５の外表面３２と該連通路３０を連通するように第１のアーム３５の内表面３１から外表面３２まで貫通する取付け孔３３が形成されている。図６と図８に示されているように、支持機構３の伸縮装置４は、アームユニット３の連通路３０に位置し、第１のリンク部２１と第２のリンク部２２とアームユニット３からなる４バーリンケージで電子デバイス６の角度の調整を行うことができるように配置されているものであるが、伸縮装置４の詳細は後に説明する。
【００１５】
次に、図５〜図７を参照し本考案の支持機構３に取り付けられる本考案のケーブル整理装置５の構造について説明する。ケーブル整理装置５はプラスチック製で、アームユニット３の取付け孔３３に嵌め込むように取り付けられる。ケーブル整理装置５は、互いに所定の間隔をあけていて向かい合うように形成される一対の側壁５１と、一対の側壁５１を繋ぐと共に、一対の側壁５１と共に一側にケーブル６１を収容する開口５０を画成する連結壁５２と、当接部５３と、保持手段５４とを備える。
【００１６】
本実施例において、各側壁５１は、それぞれ２つの係合ユニット５１１を具えている。各係合ユニット５１１は、側壁５１の厚み方向に貫通するようにＵ字形状に形成されている溝部５１２と、溝部５１２により取り囲まれ、開口５０から離れる方向に延伸し、側壁５１に対して揺動することができる係合部５１３とを備える。更に、各係合部５１３には、側壁５１の外側へ突起する係合突起５１６(図７参照)が形成されていて、各係合突起５１６は、側壁５１と略直交し、ケーブル整理装置５がアームユニット３に形成された取付け孔３３に取り付けられる際に、アームユニット３の内表面３１に当接する当接面５１４と、当接面５１４の端縁から側壁５１に延伸し、当接面５１４と鋭角を成す案内斜面５１５とを具えている。
【００１７】
各係合ユニット５１１の溝部５１２が設けられることで、各係合部５１３を側壁５１に対して揺動することができる。なお、案内斜面５１５が設けられることで、ケーブル整理装置５がアームユニット３に形成された取付け孔３３に取り付けられる際に、ケーブル整理装置５の各係合部５１３は、案内斜面５１５による案内により、取付け孔３３内にスムーズに係合することができるので、各係合部５１３の破損を防ぐことができる。
【００１８】
連結壁５２は、一対の側壁５１と共に一側にケーブル６１を収容する開口５０を画成して、且つ、一対の側壁５１それぞれの開口５０の反対側にある周縁同士を繋ぐ第１の板体５２１と、それぞれ一対の側壁５１及び第１の板体５２１を繋ぐ一対の第２の板体５２２と、リブ部５２３とを具えている。第１の板体５２１は、伸縮装置４と一定の間隙を空けている。一対の第２の板体５２２は、第１の板体５２１と１８０度未満の角度を成し、伸縮装置４から離れる方向へ延伸する。
【００１９】
リブ部５２３は、連結壁５２の一対の第２の板体５２２それぞれの取付け孔３３の周縁に臨む端部に、それぞれ互いに間隔をあけるように配置されている。また、ケーブル整理装置５が取付け孔３３に取り付けられる際に、リブ部５２３は支持機構３の取付け孔３３の孔縁に当接するように設置される。なお、本実施例ではリブ部５２３が４つで、各一対の第２の板体５２２においてそれぞれリブ部５２３の数量が同じであるが、リブ部５２３の数量は４つ以外でも良く、各一対の第２の板体５２２それぞれに設けられるリブ部５２３の数量が互いに異なっても良い。
【００２０】
当接部５３は、開口５０に沿って、一対の側壁５１の端縁及び一対の第２の板体５２２の端縁から外側へフランジ状に張り出し、且つ、ケーブル整理装置５が取付け孔３３に取り付けられる際に、アームユニット３の外表面３２に当接するように配置される。
【００２１】
保持手段５４は、当接部５３に連結され、一端がいずれか１つの側壁５１の端縁から開口５０外に延伸してもう１つの側壁５１側へ湾曲するように形成され、開口５０内に収容されたケーブル６１を保持するように配置されている。
【００２２】
図７に示されているように、支持機構３において、ケーブル整理装置５はケーブル６１を収容できる空間の所定の縦方向の長さを第１の長さ（Ｌ１）とすると、この第１の長さ（Ｌ１）は、保持手段５４においてアームユニット３の外表面３２から離れた側と連結壁５２の第１の板体５２１との距離で定義される。一方、保持手段５４がアームユニット３から突出する空間の所定の縦方向の長さを第２の長さ（Ｌ２）とすると、この第２の長さ（Ｌ２）は、保持手段５４においてアームユニット３の外表面３２から離れた側とアームユニット３の外表面３２との距離で定義される。そして、第１の長さ（Ｌ１）は第２の長さ（Ｌ２）より大きく、つまり、Ｌ１＞Ｌ２となっている。
【００２３】
以下に、図６、図７と図１０を参照して本考案のケーブル整理装置５を支持機構３に取り付ける手順について説明する。まず、ケーブル整理装置５は所定の縦方向の上方向に支持機構３の取付け孔３３に嵌める。次に、該取付け孔３３によりケーブル整理装置５の各係合部５１３が押圧され、各係合部５１３の案内斜面５１５に取付け孔３３を通過させ、各係合部５１３の当接面５１４と当接部５３にアームユニット３の内表面３１と外表面３２をそれぞれ当接させると、アームユニット３に対するケーブル整理装置５の取り付けが完成する。
【００２４】
ケーブル整理装置５の使用時、電子デバイス６を支持ホルダー２３に取り付けて、開口５０内にケーブル６１を通過させることで、ケーブル６１が保持手段５４に保持され、よってケーブル６１が垂れることなくアームユニット３側に沿って延伸できる。
【００２５】
図８〜図１０を参照して電子デバイス６の角度の調整について説明する。図８、図９は本考案の支持機構３にケーブル整理装置５が取り付けられた場合であって、後述する第２の伸縮リンク部４２がそれぞれ第１の位置と第２の位置にあることを示す断面図である。
【００２６】
支持機構３の伸縮装置４は、アームユニット３内の連通路３０に位置する第１の伸縮リンク部４１及び第１の伸縮リンク部４１に対して伸縮変位する第２の伸縮リンク部４２により構成される。第１の伸縮リンク部４１及び第２の伸縮リンク部４２はそれぞれアームユニット３及び第１のリンク部２１に枢支されている。図８と図９に示されるように、第１の伸縮リンク部４１に対して第２の伸縮リンク部４２が第１の位置（図８）と第２の位置（図９）の間の範囲に移動する。第２の伸縮リンク部４２が前記第１の位置にある場合、第１の伸縮リンク部４１に対して第２の伸縮リンク部４２のはみ出す長さがもっとも長く、第２のリンク部２２の位置が第１のリンク部２１の位置より高い位置である。第２の伸縮リンク部４２が前記第２の位置にある場合、第１の伸縮リンク部４１に対して第２の伸縮リンク部４２のはみ出す長さがもっとも短く、第２のリンク部２２の位置が第１のリンク部２１の位置より低い。但し、伸縮装置４と、第１のリンク部２１と、第２のリンク部２２と、アームユニット３との間の動作及び連結関係に関しては当業者に対して周知のことであるため、それに関する更なる説明を省略する。
【００２７】
アームユニット３経由で第１のリンク部２１及び第２のリンク部２２を駆動させることで、伸縮装置４の第２の伸縮リンク部４２を第１の伸縮リンク部４１に対して、第１の位置と第２の位置の間の範囲に移動させることができる。第１の位置の場合には、第２のリンク部２２が第１のリンク部２１より高い位置にあり、電子デバイス６がより高い位置にあるが、第２の位置の場合には、第２のリンク部２２が第１のリンク部２１より低い位置にあり、電子デバイス６もより低い位置にある。伸縮装置４が第１の位置、第２の位置、又は二者の間のいずれの位置にあっても、伸縮装置４と連結壁５２が常に接触せずに間をあけるように配置構成されている。
【００２８】
なお、上述のように、ケーブル整理装置５が取付け孔３３に嵌め込まれているので、ケーブル６１を収容できる空間の第１の長さ（Ｌ１）は保持手段５４がアームユニット３から突出する第２の長さ（Ｌ２）より長くなる。言い換えれば、本考案に係る構成と従来技術の構成とで、それぞれ同じケーブルの数量を収容できる空間を有していても、すなわち両者のＬ１が等しい場合でも、本考案に係る構成によれば第２の長さ（Ｌ２）が従来技術のより短くなるので、保持手段５４をよりアームユニット３の外表面３２に近づけることができ、よってケーブル６１が垂れることなく外表面３２に沿って延伸できるようになる。
【００２９】
[実施例の技術的効果]
以下、本考案に係る本実施例の利点をまとめる：
１．本考案の支持機構３は、取付け孔３３が設けられて、ケーブル整理装置５が取付け孔３３に嵌め込むように取り付けられることにより、ケーブル６１の一部が開口５０内に収容され、保持手段５４により取付け孔３３に近づく方向で保持され、アームユニット３に沿って延伸できる。よって、ケーブル６１を綺麗に整理することができる。
２．また、本考案の支持機構３において、ケーブル整理装置５がアームユニット３の外表面３２から凹む前記取付け孔３３に嵌め込むように取り付けられるので、同じケーブル６１の数量を収容する際にも、保持手段５４がアームユニット３から突出する長さを従来技術のより短くでき、更に保持手段５４をよりアームユニット３の外表面３２に近づけることができ、ケーブル６１が垂れることなく外表面３２に沿って延伸できるようになる。
３．さらに、各側壁５１に係合ユニット５１１が設けられることで、ケーブル整理装置５がアームユニット３に着脱可能となる。また、係合突起５１６の案内斜面５１５が設けられることにより、ケーブル整理装置５が取付け孔３３に取り付けられる際に、該係合部５１３が損傷し難くなる。
４．また、連結壁５２には、伸縮装置４と所定間隙を空けている第１の板体５２１と、第１の板体５２１と１８０度未満の角度を成し、伸縮装置４から離れる方向へ延伸する第２の板体５２２とが設けられることで、電子デバイス６の角度の調整の際、ケーブル整理装置５が常に伸縮装置４と接触せずに間をあけることができる。よって、本考案の支持機構３にケーブル整理装置５が取り付けられても使用者が問題なく電子デバイス６の角度を調整することができる。
以上、本考案の好ましい実施例を説明したが、本考案はこれらに限定されるものではなく、最も広い解釈の精神および範囲内に含まれる様々な構成として、全ての修飾および均等な構成を包含するものとする。
【産業上の利用可能性】
【００３０】
本考案は、取付け孔が設けられた支持機構において、ケーブル整理装置を取付け孔に嵌め込むように取付けられて、ケーブルをケーブル整理装置の空間内に収容し、且つ、アームユニットに沿って延伸させるように配置することにより、ケーブルが垂れて近傍にある物体と干渉せず、ケーブルが整理しやすいケーブル整理装置、及び該ケーブル整理装置を備えた電子デバイスの支持機構を提供することができる。
【符号の説明】
【００３１】
３  支持機構
２１  第１のリンク部
２２  第２のリンク部
３  アームユニット
３０  連通路
３１  内表面
３２  外表面
３３  取付け孔
３５  第１のアーム
３６  第２のアーム
４  伸縮装置
４１  第１の伸縮リンク部
４２  第２の伸縮リンク部
５  ケーブル整理装置
５０  開口
５１  側壁
５１１  係合ユニット
５１２  溝部
５１３  係合部
５１４  当接面
５１５  案内斜面
５１６  係合突起
５２  連結壁
５２１  第１の板体
５２２  第２の板体
５２３  リブ部
５３  当接部
５４  保持手段
６ 電子デバイス
６１  ケーブル
【図１】
0003223700.tif 000003
【図２】
0003223700.tif 000004
【図３】
0003223700.tif 000005
【図４】
0003223700.tif 000006
【図５】
0003223700.tif 000007
【図６】
0003223700.tif 000008
【図７】
0003223700.tif 000009
【図８】
0003223700.tif 000010
【図９】
0003223700.tif 000011
【図１０】
0003223700.tif 000012